(57)【特許請求の範囲】
【請求項１】
異なる開口形状を有する複数枚の遮光パターンマスクを用い、前記マスクを、被写体と感光材料の間で離間させて配置し、装飾画像を構成する被写体からの光を、前記遮光パターンマスクそれぞれの重なった開口部を通過させて物体光とし、前記物体光と、それとは異なる参照光とを感光材料上で干渉させホログラム撮影し、所定方向に対してのみ前記装飾画像を再生回折するように前記開口部の重なり方に依存して観察領域の制限されたホログラムを作製し、これをマスターホログラムとしてこのマスターホログラムを複製して最終ホログラムを作製し、前記最終ホログラムを複写防止体とすることを特徴とする複写防止体の製造方法。
【請求項２】
請求項１の製造方法により作成された複写防止体。
【発明の詳細な説明】
【０００１】
【発明の属する技術分野】
本発明は、金券，有価証券などに、複写（コピー）による偽造を防止する機能を付加するためのホログラムに関する。
【０００２】
【従来の技術】
リップマンホログラムの偽造防止に係る提案として、本出願人による特開平７−１３４５３６号公報が公知である。
【０００３】
上記公報により開示された提案は、リップマンホログラムに個別情報を追記する際、前記ホログラムから再生される装飾画像とは異なる波長で個別情報が再生されるように、単色のレーザー光のみを用いてホログラム記録するものであり、上記ホログラムを単色のレーザー光のみを用いた密着複製露光（コンタクトコピー）によって複製しても、装飾画像と個別情報の再生波長を異ならせることができないため、完全に複製できず偽造への有効な対策となる。
【０００４】
しかし、上記提案に係るリップマンホログラムを、カラー複写装置により複写しても、ホログラムの絵柄（パターン）自体を再現することは可能である。これは、カラー複写装置の照明光源の波長が単波長ではないためである。
【０００５】
上記の複写では、リップマンホログラムの実物と複写物とは、明らかにパターンの見え方が異なるが、元々、ホログラム自体の存在を知らない人にとっては、絵柄全体として違和感がなければその複写物を異常と感じることなく、偽造に気付かないでしまう惧れがある。
【０００６】
従来より、複写装置の性能の向上に伴う金券，有価証券などの複写物による不正使用（偽造）への対策が望まれており、複写物であることが明らかに判別できるようにする対策のうち、ホログラムや回折格子を用いた複写防止に係る提案として、特開平６−２０６３９４号公報が公知である。
【０００７】
図１１は、上記公報により開示された発明を示す説明図である。
金券に例示される偽造防止印刷物２０は、基材２１と、基材２１上に形成された情報表示層２２（２２Ａ〜２２Ｄ；印刷による「１０００」の文字）と、その上層に形成されたホログラム形成層２３（２３Ａ〜２３Ｄ）とから構成されている。各ホログラム形成層２３Ａ〜２３Ｄは、それぞれ異なる方向に光が回折するように設けられている。金券２０が複写されると、各ホログラム形成層２３Ａ〜２３Ｄの回折作用により、情報表示層２２，ホログラム形成層２３の目視画像とは異なる画像４２Ａ〜４２Ｄが視覚される。図１１（ａ）は金券２０を示す平面図、図１１（ｂ）は金券２０を複写した複写物４０を示す平面図、図１１（ｃ）は金券２０の断面図である。
【０００８】
上記提案では、情報表示層２２（印刷物）が見にくくなることのないように、透明または半透明のホログラムまたは回折格子からなる情報表示層（ホログラム形成層２３）を情報表示層２２（印刷物）の上層または下層に形成しているため、印刷パターンとホログラムパターンとが同調していないと、肉眼で両者を視覚する際、違和感のあるものとなってしまう。
そのため、両者の位置合わせも要求されることになると共に、ホログラムパターンも複数別々に（同図では、４種類）必要である。
また、上記提案は、レリーフタイプの反射型ホログラムにのみ適用が限定されるものである。
【０００９】
【発明が解決しようとする課題】
本発明では、物品表面に複写防止体としてホログラムパターンを形成する場合には、物品表面の印刷パターンとホログラムパターンは独立した別個のものと考える。そのため、ホログラムパターンと印刷パターンとを必ずしも同調させる必要はなく、絵柄または形成箇所が別々であり、それぞれ独自の絵柄（パターン）を観察者に視覚させるようにする。
【００１０】
また、印刷パターンを有さない物品に対してでも、ホログラムを表面に適用するだけで、前記物品の複写（コピー）を行なっても、複写物からはホログラムによる絵柄（パターン）を完全には再現されないようなホログラムパターンを複写防止体として得るための複写防止体の製造方法を提供することを目的とする。特に、ホログラム自体の存在を知らない人でも複写物であることが判別できるようなホログラムからなる複写防止体を、撮影工程を改良することにより、ホログラムの種類（レリーフ型，体積位相型）に制約を受けずに得られる複写防止体の製造方法及びその製造方法により作成された複写防止体を提供することを目的とする。
【００１１】
【課題を解決するための手段】
本発明による請求項１に記載の複写防止体の製造方法は、異なる開口形状を有する複数枚の遮光パターンマスクを用い、前記マスクを、被写体と感光材料の間で離間させて配置し、装飾画像を構成する被写体からの光を、前記遮光パターンマスクそれぞれの重なった開口部を通過させて物体光とし、前記物体光と、それとは異なる参照光とを感光材料上で干渉させホログラム撮影し、所定方向に対してのみ前記装飾画像を再生回折するように前記開口部の重なり方に依存して観察領域の制限されたホログラムを作製し、これをマスターホログラムとしてこのマスターホログラムを複製して最終ホログラムを作製し、前記最終ホログラムを複写防止体とすることを特徴とする複写防止体の製造方法である。
【００１２】
請求項２に記載の発明は請求項１の製造方法により作製された複写防止体である。
【００１４】
コピーによる複写物であることを、ホログラムを知らない人でも容易に判別できる本発明の原理を以下に説明する。
異なる開口形状を有する２枚の遮光パターンマスクを重ねて配置した状態を、図１，図２に示す。
【００１５】
図１では、パターンマスクａとパターンマスクｂがホログラムの奥行き方向に相当する方向（同図で左右方向）に、距離ｄだけ離れて配置してある。図示してはいないが、パターンマスクａはホログラム面上に配置（同図で、ホログラム面はパターンマスクａの左側に密着）してあり、パターンマスクｂはホログラム面より奥の方向に配置してあるものとみなす。パターンマスクａはパターンａ１の開口形状をもっている。パターンマスクｂはパターンｂ１の開口形状をもっている。
【００１６】
パターンマスクｂの後方から再生される光は、パターンｂ１とパターンａ１の開口を通過することで、領域Ａ，領域Ｂ，領域Ｃに分けることができる。領域Ａではパターンａ１の形状が完全に観察され、領域Ｂと領域Ｃではパターンａ１の開口にパターンｂ１の遮光部分が重なり、パターンａ１の開口部の形状は完全に観察することができない。
【００１７】
図２では、パターンマスクｂの開口形状がパターンｂ２のものを示した。パターンマスクａはパターンａ２の開口形状をもっている。パターンマスクｂはパターンｂ２の開口形状をもっている。パターンマスクａのパターンａ２は、図１のパターンａ１と同様な形状・大きさである。パターンｂ２の形状は、図１のパターンｂ１とは異なり、開口面積を広くとってある。
【００１８】
図１と同様に、パターンマスクｂの後方から再生される光は、パターンｂ２とパターンａ２の開口を通過することで、領域Ｄ，領域Ｅ，領域Ｆに分けることができる。領域Ｄではパターンａ２の形状が完全に観察され、領域Ｅと領域Ｆではパターンａ２の開口にパターンｂ２の遮光部分が重なり、パターンａ２の開口部の形状は完全に観察することができない。
【００１９】
図１における観察点Ｇとパターンａ１の位置関係は、図２における観察点Ｇとパターンａ２との位置関係と同じとする。この観察点Ｇから再生像を観察すると、図１の場合にはパターンａ１は完全な形状では観察できないが、図２の場合にはパターンａ２は、完全な形状で観察することができる。
【００２０】
以上のように、パターンマスクｂの開口形状をパターンｂ１，パターンｂ２と変化することで、観察点Ｇにおいてパターンマスクａのパターンを完全な形状のもの（以下、表示パターンとする）と、不完全な形状のパターン（以下、非表示パターンとする）を記録することが可能となる。
【００２１】
このように、開口形状の異なる複数枚のパターンマスクを組み合わせて配置することにより、開口部の重なり方に依存して観察領域を制限することができ、表示パターンによって文字または記号などを構成することにより、制限された特定の観察点からはその文字または記号などを視覚することができることになる。
【００２２】
図３に、一般的な複写（コピー）装置の光源から感光ドラムまでの要部の光学系を示す。
光源から発した光は、オリジナル台の複写原稿を照明し、原稿からの反射光は全速ミラーを経由して半速ミラーへと導かれる。全速ミラーは光源とともに移動し、半速ミラーは全速ミラーと光源の移動速度の半分の速度で移動する。半速ミラーに入射した光は、ミラーレンズとミラーにより感光ドラムへ結像される。
【００２３】
光源から原稿への入射光と反射光の光軸とのなす角度をθとすると、ホログラムを観察する場合に、ホログラム面の正面（反射光の方向）に視点があり、θの角度（入射光の方向）より照明光を照射することと同等である。
【００２４】
図４に、ホログラム複写時の光学系の配置関係を概念的に示す。
図４は、図１で説明したパターンマスクａ，パターンマスクｂを配置して撮影したリップマンホログラムを、図３で示した光学系の複写装置によって複写する際のホログラムの再生条件を示す説明図である。
ただし、リップマンホログラムの撮影時の参照光は、ホログラム面に垂直な方向から入射させて撮影したものとする。
【００２５】
ホログラム面に垂直な方向を複写装置光軸として、この光軸と角度θの方向より複写光を照明する。照明光の入射角は、ホログラム撮影時の参照光の入射角度とθだけ異なる角度で入射したことになる。
【００２６】
ここで、ホログラムからのパターンマスクａの再生像は、撮影時のパターンマスクの配置条件から、ホログラム面上に存在し、参照光角度と照明光角度の角度の差による再生位置への影響はないが、パターンマスクｂは撮影時にホログラム面上より距離ｄだけ奥にあるため、ｔａｎθ＊ｄだけ再生像がシフトする。ただし、ｄが非常に小さい場合で、近軸の点を考えた場合で、収差などは考慮していない。
【００２７】
パターンマスクｂの再生像のシフトにより、表示パターンの観察領域Ａと非表示領域Ｂと非表示領域Ｃの配置は図示のようになり、図３で示す全速ミラーへの反射方向に相当する複写装置光軸は非表示領域に入るため、このパターンは完全には複写されない。
【００２８】
図５は、図２で説明したパターンマスクａ，パターンマスクｂを配置して撮影したリップマンホログラムを、図３で示した光学系の複写装置によって複写する際のホログラムの再生条件を示す説明図である。
【００２９】
図４の場合と同様に、ホログラム面に垂直な方向を複写装置光軸として、この光軸と角度θの方向より複写光を照明する。同様に、ホログラムからのパターンマスクｂの再生像のシフトにより、表示パターンの観察領域Ｄと非表示領域Ｅと非表示領域Ｆの配置は図示のようになり、図３で示す全速ミラーへの反射方向に相当する複写装置光軸は表示領域に入るため、このパターンは完全に複写されることになる。
【００３０】
このような、表示パターンと非表示パターンの組み合わせにより文字，記号等のパターンを記録することで、複写を行うことによって、ホログラムに撮影記録された画像パターンとは異なる前記の文字，記号等のパターンが現れて複写物であることが明白となる。
【００３１】
【発明の実施の形態】
以下、図面を参照して本発明の実施形態を詳細に説明する。
図６は、本発明のホログラム撮影工程の一例について、第１ステップ（マスターホログラムの撮影記録）を示したものである。照明された被写体（拡散板）にパターンマスクｂを密着し、パターンマスクａを距離ｄの位置に配置する。双方のパターンマスクの開口部分を通過した光を物体光とし、参照光を照射して感光材料Ｈ１上で撮影記録する。
【００３２】
図７は、第２ステップ（複写防止体となる最終ホログラムの撮影記録）を示したものである。第１ステップで撮影記録したＨ１に、参照光に共役な方向から再生光を入射し、パターンマスクの実像を再生する。パターンマスクａの再生実像上に感光材料Ｈ２を配置し、Ｈ１と反対の垂直方向から参照光を入射しリップマンホログラムＨ２を撮影記録する。
【００３３】
図８は、第１ステップで使用するパターンマスクａの一例を示す平面図である。パターンマスクａは、一種類の大きさの円形の開口部の集まりによって、パターンａを構成する。
【００３４】
図９は、パターンマスクｂの一例を示す平面図である。パターンマスクｂは、二種類の大きさ（一方はパターンマスクａの円形と同等であり、他方はパターンマスクａの円形よりも大きく「Ｘ」を表示するように配置されている）の円形の開口部の集まりによって、パターンｂを構成する。
【００３５】
図１０は、上記の第１・第２ステップを経て撮影記録されたリップマンホログラム（複写防止体）を複写した場合の複写物を示す説明図である。
パターンマスクａ，ｂの重なり方に依存して、「Ｘ」を表わす部分だけにパターンａが再現される。
【００３６】
上記説明では、ホログラム画像の被写体として拡散板を用いたが、それに限られるものではなく、装飾画像を構成する何らかの絵柄を再生するホログラムであっても良い。
【００３７】
ほとんどの複写装置の照明光源からの複写物への入射角度は、垂直ではなくある程度の角度θを有している。
ホログラムの撮影記録時の参照光を垂直に入射することで、複写時に照明光の入射方向と前記の参照光の角度に差が生じることで、パターンマスクの再生位置に差が生じ、非表示部は複写の時に露光不足となり複写ができなくなる。
【００３８】
また、本発明の複写防止体の製造方法に適したホログラムはリップマンホログラムに限定されるわけではなく、レリーフ型の透過型実像再生ホログラムでも実施することが可能である。
【００３９】
このようなホログラムを複写防止体として物品表面に形成することによって、複写による偽造が妨げられることになる。
偽造防止が必要な物品としては、カード，プリペイドカード，商品券，トラベラーズチェック，通帳，切符，入場券，名刺などの信用が求められるもの全てに適用でき、紙，樹脂，金属材など材質を問うものではない。
ホログラムを物品表面に形成する方法としては、転写シートもしくはシール（ラベル）の形態として、固着形成するのが好ましい。
【００４０】
【発明の効果】
ホログラムの存在を知らない人でも、複写物の見え方が明らかに元々のパターンに対して違和感を持って視覚されるため、複写物であることが判別できるような複写防止体が提供される。
特に、ホログラムからは元々肉眼で視覚されず、複写によって初めて現れるパターンが視覚されることになるので、複写物に対する違和感の伴い方が一層顕著である。
本発明では、適用する物品表面に印刷パターンは必要とせず、ホログラム単体であっても、上記効果を奏することが可能である。
【００４１】
【図面の簡単な説明】
【図１】異なる開口形状を有する２枚の遮光パターンマスクを重ねて配置した状態を示す説明図。
【図２】異なる開口形状を有する２枚の遮光パターンマスクを重ねて配置した状態を示す説明図。
【図３】複写装置の要部の光学系を概略的に示す説明図。
【図４】ホログラム複写時の光学系を概略的に示す説明図。
【図５】複写時のホログラム再生条件を概略的に示す説明図。
【図６】本発明のホログラム作製工程（マスター撮影）を示す説明図。
【図７】本発明のホログラム作製工程（最終ホログラムの撮影）を示す説明図。
【図８】遮光パターンマスクの一例を示す説明図。
【図９】遮光パターンマスクの他例を示す説明図。
【図１０】ホログラムの複写物の一例を示す説明図。
【図１１】ホログラムを利用した複写防止に係る従来技術を示す説明図。
【符号の説明】
20…偽造防止印刷物（金券）
21…基材
22（22Ａ〜22Ｄ）…印刷による情報表示層
23（23Ａ〜23Ｄ）…ホログラム形成層
40…複写物
42（42Ａ〜42Ｄ）…複写により視覚される画像
【図１】
0004066463.tif 000002
【図２】
0004066463.tif 000003
【図３】
0004066463.tif 000004
【図４】
0004066463.tif 000005
【図５】
0004066463.tif 000006
【図６】
0004066463.tif 000007
【図７】
0004066463.tif 000008
【図８】
0004066463.tif 000009
【図９】
0004066463.tif 000010
【図１０】
0004066463.tif 000011
【図１１】
0004066463.tif 000012